(57)【要約】【課題】  ソケットに接続されるランプピンの導通を安定させる。【解決手段】  直管蛍光ランプ１を収めるシリンダ２の両端に、ソケットを収めるホルダを配置したランプ保持ユニット７を備え、ランプ保持ユニット７の一端のランプ交換側から他端の閉鎖側に向かってランプ１を装着し、ランプ１とソケットがホルダ内で接続される照明器具において、ランプ交換側のホルダに配置されるソケットはランプピンを差し込むことにより接続される差し込み方式であり、閉鎖側のホルダ６に配置されるソケット４はランプピンを挿入した後回転させることにより接続される回転式である。このように閉鎖側のソケットのランプピンの接触方式を従来の突き合わせから回転式に変えることで導通の信頼性が向上する。【選択図】  図１
2005268163.tif 000002
【特許請求の範囲】
【請求項１】
直管蛍光ランプを収めるシリンダの両端に、ソケットを収めるホルダを配置したランプ保持ユニットを備え、前記ランプ保持ユニットの一端のランプ交換側から他端の閉鎖側に向かって前記ランプを装着し、前記ランプと前記ソケットが前記ホルダ内で接続される照明器具において、前記ランプ交換側のホルダに配置されるソケットはランプピンを差し込むことにより接続される差し込み方式であり、前記閉鎖側のホルダに配置されるソケットはランプピンを挿入した後回転させることにより接続される回転式であることを特徴とする照明器具。
【請求項２】
前記ランプ交換側のホルダに配置されるソケットは、前記ホルダに挿入し回転操作することによって前記ホルダ側の接点と導通するようにした請求項１記載の照明器具。
【請求項３】
前記閉鎖側のホルダに配置されるソケットは、ランプピン挿入溝が形成された回転子をソケット本体に対して回転可能に設け、前記ランプピン挿入溝の両端にランプピンを案内するガイド部を設けた請求項１または２記載の照明器具。
【請求項４】
前記ランプピン挿入溝は、２本のランプピンが上下に並ぶ状態で挿入される請求項３記載の照明器具。
【発明の詳細な説明】
【技術分野】
【０００１】
この発明は、主に防爆用照明器具などのランプソケットについての照明器具に関するものである。
【背景技術】
【０００２】
従来、ソケット本体、及びランプを密閉したシリンダ内に収めて使用する防爆用照明器具では、シリンダおよびその両端のホルダおよびソケット等からなるランプ保持ユニットの一端を開閉させランプ交換を行っている。この際、ソケットを取り出すことで、そのソケットに保持されたランプを取り出しているために、ランプ交換側のソケットはランプを十分保持しておかなければならない。また、もう一方の閉鎖側のソケットのランプ保持力がランプ交換側より大きいとランプが取り出せなくなるため、閉鎖側のソケットのランプピンとの接触はつきあわせ方式を用いるのが一般的である（例えば、特許文献１）。
【特許文献１】特開平１１−５３９３０号公報
【発明の開示】
【発明が解決しようとする課題】
【０００３】
しかしながら、上記従来例の照明器具のようなつき合わせ方式では、ソケットの導電板とランプピン先端は点接触になるため導通が不安定になる可能性がある。また、ランプ交換は、ランプ保持ユニットの一端からランプの端を持って行うため、閉鎖側ではランプの自重によって、ソケット受金面の中心に持って行くことが難しい。そのため、ソケット受金面には、ランプピンを受金中心へガイドするテーパーが設けられているが、受金面は樹脂製のためランプピン先端が樹脂を削り、そのかすがランプピン先端に着き、導電板との接触を妨げ、不点、発熱発火の恐れもある。
【０００４】
したがって、この発明の目的は、ソケットに接続されるランプピンの導通を安定させることができる照明器具を提供することである。
【課題を解決するための手段】
【０００５】
上記課題を解決するためにこの発明の請求項１記載の照明器具は、直管蛍光ランプを収めるシリンダの両端に、ソケットを収めるホルダを配置したランプ保持ユニットを備え、前記ランプ保持ユニットの一端のランプ交換側から他端の閉鎖側に向かって前記ランプを装着し、前記ランプと前記ソケットが前記ホルダ内で接続される照明器具において、前記ランプ交換側のホルダに配置されるソケットはランプピンを差し込むことにより接続される差し込み方式であり、前記閉鎖側のホルダに配置されるソケットはランプピンを挿入した後回転させることにより接続される回転式である。
【０００６】
請求項２記載の照明器具は、請求項１記載の照明器具において、前記ランプ交換側のホルダに配置されるソケットは、前記ホルダに挿入し回転操作することによって前記ホルダ側の接点と導通するようにした。
【０００７】
請求項３記載の照明器具は、請求項１または２記載の照明器具において、前記閉鎖側のホルダに配置されるソケットは、ランプピン挿入溝が形成された回転子をソケット本体に対して回転可能に設け、前記ランプピン挿入溝の両端にランプピンを案内するガイド部を設けた。
【０００８】
請求項４記載の照明器具は、請求項３記載の照明器具において、前記ランプピン挿入溝は、２本のランプピンが上下に並ぶ状態で挿入される。
【発明の効果】
【０００９】
この発明の請求項１記載の照明器具によれば、ランプ交換側のホルダに配置されるソケットはランプピンを差し込むことにより接続される差し込み方式であり、閉鎖側のホルダに配置されるソケットはランプピンを挿入した後回転させることにより接続される回転式であるので、閉鎖側のソケットのランプピンの接触方式を従来の突き合わせから回転式に変えることで導通の信頼性が向上する。すなわち、ソケットを回転式にすることで、ランプピンの側面で接触可能となるため導通を安定させることができる。
【００１０】
請求項２では、ランプ交換側のホルダに配置されるソケットは、ホルダに挿入し回転操作することによってホルダ側の接点と導通するようにしたので、ホルダ内に配線する必要がなく作業性が向上する。
【００１１】
請求項３では、閉鎖側のホルダに配置されるソケットは、ランプピン挿入溝が形成された回転子をソケット本体に対して回転可能に設け、ランプピン挿入溝の両端にランプピンを案内するガイド部を設けたので、ランプの一端側を持って交換作業することにより、ランプの他端側のランプ軸が中心からずれても、ランプピンがガイド部により中心に案内されランプ挿入溝に挿入することができる。
【００１２】
請求項４では、ランプピン挿入溝は、２本のランプピンが上下に並ぶ状態で挿入されるので、ランプの一端側を持って交換作業することにより、ランプの他端側のランプ軸が中心から下方向にずれてもランプピンがガイド部により下から上に案内される。また、ランプの管径が変わることでランプピンの位置が下方向にずれても、同様にランプピンがガイド部により案内されるのでランプ管径の違いに対応できる。
【発明を実施するための最良の形態】
【００１３】
この発明の第１の実施の形態を図１〜図５に基づいて説明する。図１は本発明の第１の実施形態の照明器具のランプ保持ユニットの閉鎖側の斜視図、図２はその分解斜視図である。また、図３（ａ）は本発明の第１の実施形態のランプ保持ユニットのランプ交換側のソケット接続前の状態を示す一部破断斜視図、（ｂ）はそのソケット接続後の状態を示す一部破断斜視図、図４はその分解斜視図である。
【００１４】
図１〜図４に示すように、直管蛍光ランプ１を収めるシリンダ２の両端に、ソケット３，４を収めるホルダ５，６を配置したランプ保持ユニット７を備えている。ランプ保持ユニット７の一端のランプ交換側から他端の閉鎖側に向かってランプ１を装着し、ランプ１とソケット３，４がホルダ５，６内で接続される構成である。また、ランプ交換側のホルダ５に配置されるソケット３はランプピンを差し込むことにより接続される差し込み方式であり、閉鎖側のホルダ６に配置されるソケット４はランプピンを挿入した後回転させることにより接続される回転式である。
【００１５】
閉鎖側において、図１および図２に示すように、ソケット４は、ランプピン挿入溝１０が形成された回転子１１をソケット本体１２に対して回転可能に設け、ランプピン挿入溝１０の両端にランプピンを案内するガイド部１３を設けている。ソケット本体１２は、ランプ口金を受ける受金面部１２ａに回転子１１を収める開口部１４が形成されている。この開口部１４の端縁に位置する受金面部１２ａにランプピン挿入溝１０の両端と整合するようにガイド部１３が形成されている。ガイド部１３は受金面部１２ａからランプピン挿入溝１０へ傾斜するようなテーパ状である。この場合、２本のランプピンが上下に並ぶ状態でランプピン挿入溝１０に挿入されるため、ガイド部１３が上下に配置される。ソケット本体１２の内部にはランプピンを接続する一対の接続端子１５が固定されている。接続端子１５はランプ挿入後９０度回転させた状態で２本のランプピンを側面から挟持可能とする。また、ソケット本体１２の上面に配置される導電板１６と接続端子１５が一体に形成されている。導電板１６はランプ軸方向に長く、ソケット本体１２の上面から突出する方向に湾曲した弾性片であり、ホルダ６側の固定接点と接触する。また、ソケット本体１２の受金面部１２ａおよび上面を除く外周面がホルダ６の内周面に嵌合するように形成されている。
【００１６】
ホルダ６のランプ側の内周面にはストッパ部１７が形成され、このストッパ部１７にソケット本体１２の受金面部１２ａが当接して位置決めされる。ホルダ６は上面には端子ユニット（図示せず）を装着する穴１８が形成されている。端子ユニットは、器具本体の安定器からの出力端子Ａの固定接点を有する。また、ホルダ６のランプ１と反対側にホルダカバー１９が取り付けてある。ホルダカバー１９の内側面にソケット本体１２を付勢するスプリング２０が設けてある。このホルダカバー１９はランプ装着の際には閉鎖されている。
【００１７】
ランプ交換側において、図３および図４に示すように、ソケット３は、ランプ口金を受ける受金面部３ａにランプピン挿入穴２５が形成され、上面に開口部２６が形成されている。ソケット３の内部にはランプピンを接続する一対の接続端子２７が固定されている。接続端子２７はランプピンを１本ずつ挟持するランプピン保持部２７ａを有する。また、ソケット３の上面に配置される導電板２８と接続端子２７が一体に形成されている。導電板２８はランプ軸方向と直角方向に長く、ソケット３の上面の開口部２６から突出する方向に湾曲した弾性片である。また、ホルダ５の上面に開口した穴に端子ユニット２９が装着してある。端子ユニット２９は一対の接点２９ａを有する。そして、ソケット３をホルダ５に挿入し回転操作することによって、導電板２８と接点２９ａが導通するように構成される。また、ソケット３の受金面部３ａおよび上面を除く外周面がホルダ５の内周面に嵌合するように形成されている。受金面部３ａの周縁部には、ランプピン挿入穴２５の並び方向と直角方向に一対の嵌合突起３０が突設してある。嵌合突起３０は、相互に幅が異なり、厚さは同じである。また、受金面部３ａと反対側の面に取手３１が形成されている。
【００１８】
ホルダ５の内周面のランプ軸方向には嵌合突起３０を挿入する一対の挿入ガイド溝３２が形成されている。挿入ガイド溝３２の幅は嵌合突起３０の幅に合わせて相互に異なる。これによりソケット挿入角度を規制し、また挿入ガイド溝３２へのソケット３の逆挿入を防止する。また、挿入ガイド溝３２のランプ側の端部は嵌合溝３３に連続している。嵌合溝３３は、ホルダ５の内周面の周方向に形成され、その幅は嵌合突起３０の厚さと略等しい寸法にしてある。この嵌合溝３３は嵌合突起３０と嵌合してソケット３を位置決め固定する。挿入ガイド溝３２は２箇所に設けているのでガイド性が高い。なお、ホルダ５のランプ１と反対側に着脱可能なホルダカバーが取り付けられる（図示せず）。
【００１９】
図５は本発明の第１の実施形態の照明器具の全体斜視図である。図５に示すように、シリンダ２はランプ１の径より大きい筒状の透光性を有する部材で形成され、両ホルダ５，６のランプ側の端部に嵌合固定されている。両ホルダ５，６は点灯回路を内蔵した器具本体３５に取り付けられ、器具本体３５は天井取付部３６により吊持されている。
【００２０】
次に上記照明器具の施工手順について説明する。図１に示すように、閉鎖側のホルダ６にソケット４を挿入しホルダカバー１９を取り付ける。ソケット４はスプリング２０により押圧されストッパ部１７に当接して固定される。この状態でランプピン挿入溝１０はガイド部１３と整合するように縦向きになっている。次に図３（ａ）に示すように、ランプ交換側のソケット３のランプピン挿入穴２５にランプ１の一端のランプピンを挿入しランプピン保持部２７ａに差し込む。この状態で取手３１を持ってランプピンが縦並びとなるようにランプ１とともにソケット３をホルダ５から挿入する。ソケット３をホルダ５に挿入する際には、嵌合突起３０を挿入ガイド溝３２に挿入した後、図３（ｂ）に示すように嵌合溝３３に嵌合した状態でソケット３を９０度回転させる。これにより、導電板２８と接点２９ａが接触する。
【００２１】
また、閉鎖側においては、図１に示すように、嵌合突起３０を挿入ガイド溝３２に挿入する際、ランプ１の他端のランプピンが縦並びの状態でランプピン挿入溝１０に挿入される。このとき、ランプピンがランプ軸からずれていてもガイド部１３により案内される。なお、ランプピン装着が横から縦への回転ではランプ軸のずれをガイドできない。また、ソケット３とともにランプ１を９０度回転させることで、ランプピンと接続端子１５が接触する。このように、閉鎖側のソケット４を回転式にしたため、ランプ着脱時には、ランプピンを全く保持しないため、ランプ１を引き出すことが可能である。
【００２２】
以上のようにこの実施形態によれば、閉鎖側のソケット４のランプピンの接触方式を従来の突き合わせから回転式に変えることで導通の信頼性が向上する。すなわち、ソケットを回転式にすることで、ランプピンの側面で接触可能となるため導通を安定させることができる。また、ランプ１の一端側を持って交換作業することにより、ランプ１の他端側のランプ軸が中心から下方向にずれてもランプピンがガイド部１３により下から上に案内される。ランプ１の管径が変わることでランプピンの位置が下方向にずれても、同様にランプピンがガイド部１３により案内されるのでランプ管径の違いに対応できる。
【００２３】
また、ランプ交換側ソケット３を回転操作によって固定できるため、ホルダカバーでソケット３を押し込むといった操作が不要となり操作性がよい。
【００２４】
この発明の第２の実施の形態を図６に基づいて説明する。図６（ａ）は本発明の第２の実施形態のランプ保持ユニットの閉鎖側の斜視図、（ｂ）はその分解斜視図である。第１の実施形態と同様の部材には同一符号を付して説明を省略する。
【００２５】
図６に示すように、第１の実施形態において閉鎖側のホルダ６とソケット４は一体に成形してもよい。この場合、回転子１１を回転可能に設けたソケット本体４０がホルダ６の内周面に形成されている。また、ホルダ６内に接続端子１５が固定され、接続端子１５と一体に形成された導電板４１の器具側との接続方法は任意である。この場合、ホルダ６の上面に開口した穴１８に挿入される器具側の接続部（図示せず）と接触するように折曲形成されている。本実施形態では、ソケット本体４０、導電板４１は動かないため接続が安定する。また、ソケット本体４０とホルダ６を一体にできるため、部品点数が削減でき安価になる。また、ソケット４が前後に動かないので、スプリング等は不要となり小型化できる。
【００２６】
なお、ガイド部１３は回転子１１側に設けることも可能である。また、ソケット４は回転子がない構成にしてもよい。
【図面の簡単な説明】
【００２７】
【図１】本発明の第１の実施形態の照明器具のランプ保持ユニットの閉鎖側の斜視図である。
【図２】図１の分解斜視図である。
【図３】（ａ）は本発明の第１の実施形態のランプ保持ユニットのランプ交換側のソケット接続前の状態を示す一部破断斜視図、（ｂ）そのソケット接続後の状態を示す一部破断斜視図である。
【図４】図３の分解斜視図である。
【図５】本発明の第１の実施形態の照明器具の全体斜視図である。
【図６】（ａ）は本発明の第２の実施形態のランプ保持ユニットの閉鎖側の斜視図、（ｂ）はその分解斜視図である。
【符号の説明】
【００２８】
１  ランプ
２  シリンダ
３  ランプ交換側のソケット
４  閉鎖側のソケット
５  ランプ交換側のホルダ
６  閉鎖側のホルダ
７  ランプ保持ユニット
１０  ランプピン挿入溝
１１  回転子
１２  ソケット本体
１３  ガイド部
２９  端子ユニット
【図１】
2005268163.tif 000003
【図２】
2005268163.tif 000004
【図３】
2005268163.tif 000005
【図４】
2005268163.tif 000006
【図５】
2005268163.tif 000007
【図６】
2005268163.tif 000008